(57)【特許請求の範囲】
【請求項１】
積層シートに高周波処理を施しながら切断する高周波金型部と、
前記高周波金型部を下降または上昇させる昇降シリンダと、
前記昇降シリンダの下降または上昇を調節するシリンダ調節部と、
前記積層シートに高周波処理を施しながら一部カッティングを行い、高周波が遮断された状態で前記積層シートの残りをカッティングを行うように前記高周波金型部及び前記シリンダ調節部を制御する制御部と
を備える、高周波切断装置。
【請求項２】
前記シリンダ調節部は、
前記昇降シリンダの下降を調節する第１のシリンダ調節部と、
前記昇降シリンダの上昇を調節する第２のシリンダ調節部と
を備える、請求項１に記載の高周波切断装置。
【請求項３】
前記第１のシリンダ調節部及び前記第２のシリンダ調節部はそれぞれ、
油圧により前記昇降シリンダの下降または上昇を調節し、前記油圧を空気圧により調節する、請求項２に記載の高周波切断装置。
【請求項４】
前記高周波金型部は、
少なくとも一のカッターを備え、前記積層シートに高周波処理を施しながら切断する高周波カッター部と、
高周波発生器から流入される高周波を前記高周波カッター部に伝達する高周波伝達部と、
前記高周波カッター部を予熱するヒーターと
を備える、請求項１に記載の高周波切断装置。
【請求項５】
前記制御部は、
前記積層シートに高周波処理を施しながら一部カッティングを行った後、所定の時間の間高周波を遮断し、前記所定の時間経過後、高周波が遮断された状態で前記積層シートの残りをカッティングを行うように前記高周波金型部及び前記シリンダ調節部を制御する、
請求項１に記載の高周波切断装置。
【請求項６】
ベース層及び前記ベース層の上部に形成されるクリーナー層を含む積層シートに高周波カッター部により高周波処理を施しながら一部カッティングを行う段階と、
高周波を遮断した状態で前記高周波カッター部により前記積層シートの残りをカッティングを行って、前記積層シートを少なくとも一のクリーナー兼用保護パッドに分割する段階と
を含む、高周波切断装置を用いたクリーナー兼用保護パッドの製造方法。
【請求項７】
前記少なくとも一のクリーナー兼用保護パッドに分割する段階は、
所定の時間の間、前記高周波カッター部に流入される高周波を遮断する段階と、
高周波が遮断された状態で、前記高周波カッター部のカッターのみを用いて前記積層シートの残りを切断する段階と
を含む、請求項６に記載のクリーナー兼用保護パッドの製造方法。
【請求項８】
前記積層シートに高周波処理を施しながら一部カッティングを行う段階は、
前記積層シート中の前記ベース層の厚さの１／３〜２／３となる地点まで行う、請求項６に記載のクリーナー兼用保護パッドの製造方法。
【請求項９】
前記積層シートに高周波処理を施しながら一部カッティングを行う段階の前に、
前記高周波カッター部を予熱する段階をさらに含む、請求項６に記載のクリーナー兼用保護パッドの製造方法。
【請求項１０】
前記高周波カッター部を予熱する段階は、
前記高周波カッター部を１５０〜１８０℃に予熱する、請求項９に記載のクリーナー兼用保護パッドの製造方法。
【請求項１１】
請求項１乃至５のうちいずれか一項に記載の高周波切断装置を用いて製造されたクリーナー兼用保護パッドであって、
携帯端末機の背面に着脱するベース層と、
前記ベース層上に形成される接着層と、
前記接着層上に形成されるクリーナー層と
を備え、
前記クリーナー兼用保護パッドは、縁部に高周波処理を施しながら一部カッティングを行った後、高周波が遮断された状態で残りをカッティングを行って形成される、クリーナー兼用保護パッド。
【請求項１２】
前記ベース層は、
発泡成形で製造された軟質ポリウレタンからなる、請求項１１に記載のクリーナー兼用保護パッド。
【請求項１３】
前記接着層は、
１０〜１５０μｍの厚さで形成される、請求項１１に記載のクリーナー兼用保護パッド。
【発明の詳細な説明】
【技術分野】
【０００１】
本発明は、保護パッドに関するものであって、より詳しくは、高周波切断装置、これを用いて製造されたクリーナー兼用保護パッド、及びそれを用いたクリーナー兼用保護パッドの製造方法に関する。
【背景技術】
【０００２】
近年、スマートフォン、携帯電話、個人用携帯情報端末（ＰＤＡ、Ｐｅｒｓｏｎａｌ  Ｄｉｇｉｔａｌ  Ａｓｓｉｓｔａｎｔｓ）、携帯マルチメディア端末（ＰＭＰ、Ｐｏｒｔａｂｌｅ  Ｍｕｌｔｉｍｅｄｉａ  Ｐｌａｙｅｒ）、ＭＰ３プレーヤー、ノート型パーソナルコンピュータ、タブレット、ナビゲーションなどの携帯端末機の利用が急増している。携帯端末機は情報通信技術の発展に伴い、高性能機器が次々と開発されており、それによって製品の価格も高価なものとなっている。
【０００３】
携帯端末機を使用した後、ユーザの手及び顔に由来する脂成分などの異物及び埃などが付着してしまう。このような異物が携帯端末機のディスプレイ部に付着すると、美観上好ましくなく、ディスプレイの情報を鮮明に視認することができない。
【０００４】
従来は、携帯端末機のディスプレイ部に付着した異物及び埃を別途のクリーナーで拭き取っていたが、この場合、クリーナーを常に携帯しなければならないといった煩わしさがあり、クリーナーを携帯していないときには、服及びティッシュなどで拭き取るため、ディスプレイ部を綺麗に拭くことができず、ディスプレイ部に傷などが生じ得るといった問題点があった。
【０００５】
このため、携帯端末機の背面に着脱可能なクリーナーが開発された。従来の技術によるクリーナーは、普段は携帯端末機の背面に装着して持ち歩き、携帯端末機のディスプレイに異物及び埃が付着したときは、携帯端末機の背面からクリーナーを取り外した後、携帯端末機のディスプレイを拭くようにした。
【０００６】
従来の技術によるクリーナーは、緩衝力を有するフォーム層、フォーム層上に形成される接着層、及び接着層上に形成されるクリーナー層で構成される。従来の技術によるクリーナーは、緩衝力を有するフォーム層、接着層、クリーナー層を順次積層して一枚の積層シートが形成される（第１の工程）。ここで、積層シートは複数のクリーナーを備える。その後、積層シートの複数領域に切断して複数の個別クリーナー製品が形成される（第２の工程）。
【０００７】
従来の技術では、第２の工程において積層シートを切断するとき、クリーナー層のほつれ防止のために高周波切断装置が用いられる。しかしながら、既存の高周波切断装置を用いて積層シートを一回で切断しようとすると、クリーナー層が焦げてしまうため、高周波切断装置でクリーナー層に高周波処理のみを施した後、別途のカッターを用いて積層シートを切断する。
【０００８】
すなわち、既存の高周波切断装置は空気圧のみを利用するため、圧力を微細に調節することができないのみならず、圧力が一定ではない。従って、既存の高周波切断装置では、ポリ塩化ビニル（ＰＶＣ）またはビニル（Ｖｉｎｙｌ）製品などは切断することができるが、積層シートを切断しようとすると、クリーナー層が焦げてしまう問題点があった。
【０００９】
さらに、従来の技術においては、高周波切断装置でクリーナー層に高周波処理のみを施した後、別途のカッターを用いて積層シートを切断する方法が用いられた。しかしながら、高周波切断装置でクリーナー層に高周波処理のみを施した後、別途のカッターを用いて積層シートを切断すると、高周波処理した部分とカッティングを行った部分とが一致せず、不良率が高くなるという問題点が生じ得る。
【００１０】
すなわち、従来の技術によると、高周波処理工程及びカッティング工程が別途行われるため、高周波処理を施した部分にカッティング工程を正確に施すことは困難であり、高周波処理を施した部分から外れた位置にカッティング工程が行われる場合が頻繁に発生する。この場合、カッティング工程が行われた部分においてクリーナー層のほつれが生じ、個別クリーナーの製品のサイズが一定ではないため、製品の不良率が高くなるという問題点があった。
【発明の概要】
【発明が解決しようとする課題】
【００１１】
本発明の実施形態は、クリーナー層が焦げること及びクリーナー層がほつれることを同時に防止することができる高周波切断装置、これを用いて製造されたクリーナー兼用保護パッド、及びそれを用いたクリーナー兼用保護パッドの製造方法を提供しようとするものである。
【００１２】
本発明の実施形態は、高周波処理を施した部分及びカッティング工程を行う部分を一致させて不良率を低減することができる高周波切断装置、これを用いて製造されたクリーナー兼用保護パッド、及びそれを用いたクリーナー兼用保護パッドの製造方法を提供しようとするものである。
【課題を解決するための手段】
【００１３】
本発明の一実施形態による高周波切断装置は、積層シートに高周波処理を施しながら切断する高周波金型部と、前記高周波金型部を下降または上昇させる昇降シリンダと、前記昇降シリンダの下降または上昇を調節するシリンダ調節部と、前記積層シートに高周波処理を施しながら一部カッティングを行って、高周波が遮断された状態で前記積層シートの残りをカッティングを行うように前記高周波金型部及び前記シリンダ調節部を制御する制御部とを備える。
【００１４】
本発明の一実施形態による高周波切断装置を用いたクリーナー兼用保護パッドの製造方法は、ベース層及び前記ベース層の上部に形成されるクリーナー層を含む積層シートに高周波カッター部により高周波処理を施しながら一部カッティングを行う段階と、高周波を遮断した状態で前記高周波カッター部により前記積層シートの残りをカッティングを行って、前記積層シートを少なくとも一のクリーナー兼用保護パッドに分割する段階とを含む。
【００１５】
本発明の一実施形態による高周波切断装置を用いて製造されたクリーナー兼用保護パッドは、携帯端末機の背面に着脱可能なベース層と、前記ベース層上に形成される接着層と、前記接着層上に形成されるクリーナー層とを備え、前記クリーナー兼用保護パッドは、縁部に高周波処理を施しながら一部カッティングを行った後、高周波が遮断された状態で残りをカッティングを行って形成される。
【発明の効果】
【００１６】
本発明の実施形態によると、積層シートに高周波処理を施しながら一部カッティング工程を行い、所定の時間の間、高周波を遮断して高周波カッター部を冷却させた後、高周波を遮断した状態でカッターのみを用いて積層シートの残りを切断するため、クリーナー層が焦げることを防止するとともに、クリーナー層及びベース層を高周波融着させクリーナー層がほつれることを防止することが可能となる。また、高周波融着された部分にカッティング工程を行うため、製品の不良率を低減することができる。
【図面の簡単な説明】
【００１７】
【図１】本発明の一実施形態による携帯端末機のクリーナー兼用保護パッドを示す斜視図である。
【図２】図１のＡ−Ａ'部分の断面図である。
【図３】本発明の一実施形態によるウレタンフォーム層の内部に内空間Ｓが形成された状態を示す図である。
【図４】本発明の一実施形態による極細糸繊維の断面を概略的に示す図である。
【図５】本発明の一実施形態によるクリーナー兼用保護パッドを携帯端末機に装着する状態を示す図である。
【図６】本発明の一実施形態によるクリーナー兼用保護パッドを携帯端末機に装着した状態を示す図である。
【図７】本発明の一実施形態によるクリーナー兼用保護パッドで携帯端末機のディスプレイ部を拭いている状態を示す図である。
【図８】本発明の一実施形態による高周波切断装置の正面図である。
【図９】本発明の一実施形態による高周波切断装置の部分背面図である。
【図１０】本発明の一実施形態による高周波切断装置における第１のシリンダ調節部、昇降シリンダ、及び第２のシリンダ調節部の関係を示す図である。
【図１１】本発明の一実施形態による高周波金型部を示す図である。
【図１２】本発明の一実施形態による高周波切断装置を用いて積層シートを複数のクリーナー兼用保護パッドに分割する方法を示すフローチャートである。
【発明を実施するための形態】
【００１８】
以下、図１〜図１２を参照して、本発明に係る高周波切断装置、これを用いて製造されたクリーナー兼用保護パッド、及びそれを用いたクリーナー兼用保護パッドの製造方法の具体的な実施形態を説明する。しかしながら、これらは例示的な実施形態に過ぎず、本発明はこれらに限定されるものではない。
【００１９】
本発明を説明するにあたり、本発明に係る公知技術に対する具体的な説明が、本発明の要旨を不明瞭にすると判断される場合には、その詳細な説明を省略する。そして、後述する用語は、本発明における機能を考慮して定義された用語であって、これはユーザ、運用者の意図または慣例などにより変わり得る。従って、その定義は本明細書の全般にわたる内容に基づいて下されなければならない。
【００２０】
本発明の技術的思想は特許請求の範囲によって定められ、以下の実施形態は、進歩した本発明の技術的思想を本発明が属する技術分野において通常の知識を有する者に効率的に説明するための一手段に過ぎない。
【００２１】
図１は、本発明の一実施形態によるクリーナー兼用保護パッドを示す斜視図であり、図２は、図１のＡ−Ａ'部分の断面図である。
【００２２】
図１及び図２を参照すると、クリーナー兼用保護パッド１００は、離型層１０２、ベース層１０４、接着層１０６、及びクリーナー層１０８を備える。ここで、離型層１０２、ベース層１０４、接着層１０６、及びクリーナー層１０８は順次積層される。
【００２３】
離型層１０２は、ベース層１０４を保護する部分であり、クリーナー兼用保護パッド１００を携帯端末機に装着するとき、ベース層１０４から剥離される。離型層１０２は、例えば、ポリエチレンテレフタレート（ＰＥＴ）、ポリエチレンナフタレート（ＰＥＮ）、ポリエステル、ポリイミド、ポリカーボネート、及びポリ塩化ビニルから選択されるいずれか一種の物質からなり得る。
【００２４】
ベース層１０４は、携帯端末機に着脱可能に形成される。ベース層１０４は、例えば、ディスプレイ部が備えられていない携帯端末機の背面に着脱することができる。ここで、携帯端末機は、例えば、スマートフォン、モバイルフォン、個人用携帯情報端末（ＰＤＡ、Ｐｅｒｓｏｎａｌ  Ｄｉｇｉｔａｌ  Ａｓｓｉｓｔａｎｔｓ）、携帯マルチメディア端末（ＰＭＰ、Ｐｏｒｔａｂｌｅ  Ｍｕｌｔｉｍｅｄｉａ  Ｐｌａｙｅｒ）、ＭＰ３プレーヤー、ノート型パーソナルコンピュータ、タブレット、ナビゲーション、デジタルカメラなどが挙げられるが、これらに限定されるわけではなく、ユーザが携帯して持ち歩けるすべての電子機器を含む。
【００２５】
ベース層１０４は、例えば、粘着性高分子層からなり得る。この場合、別途の粘着層がなくてもベース層１０４を携帯端末機の背面に粘着させることができる。例えば、ベース層１０４が発泡成形で製造されるウレタンフォーム層からなる場合、図３に示すように、ベース層１０４には複数の内空間Ｓが形成される。そのため、ベース層１０４を携帯端末機の背面に装着するとき、内空間Ｓを介した吸着原理によって別途の粘着層がなくてもベース層１０４を携帯端末機の背面に粘着させることができる。
【００２６】
このとき、ベース層１０４を一定程度の粘性を有する軟質ポリウレタンで形成する場合、ベース層１０４の粘着性をより向上させることができる。また、ベース層１０４を軟質ポリウレタンで形成する場合、一定程度の弾性を有するため、外部からの衝撃を吸収することができる。
【００２７】
ここでは、ベース層１０４が粘着性高分子層からなるものであると説明したが、これらに限定されるわけではなく、ベース層１０４はその他の種々の樹脂からなり得る。このとき、ベース層１０４は、当該ベース層１０４の下部面に形成される別途の粘着層を含むことができる。
【００２８】
接着層１０６の一面はベース層１０４に貼付され、接着層１０６の他面はクリーナー層１０８に貼付されている。ここで、接着層１０６は、ベース層１０４及びクリーナー層１０８を一体に結合してクリーナー兼用保護パッド１００をなす役割を果たす。接着層１０６は、例えば、両面接着テープからなってよいが、これに限定されるわけではなく、その他の種々の接着部材を使用することができる。
【００２９】
接着層１０６は、１０〜１５０μｍの厚さで形成することができる。接着層１０６を１０μｍ以上の厚さで形成した場合、クリーナー兼用保護パッド１００に弾性を付与することができるため、クリーナー兼用保護パッド１００の衝撃吸収及び緩衝性能を向上させることができる。このとき、接着層１０６を１５０μｍを超過する厚さで形成した場合、後加工（例えば、カッティング工程）が困難になるため、接着層１０６は１０〜１５０μｍの厚さで形成することが好ましい。
【００３０】
クリーナー層１０８は、携帯端末機のディスプレイ部を拭く役割を果たす。クリーナー層１０８は、例えば、極細糸織物層または超極細糸織物層からなり得る。極細糸は、ポリエステル及びナイロンの混合物であって、一般的なポリエステル系とは異なり、極めて微細な太さの極細繊維で織造され、一般的な太さの原糸よりも広い接地面積を提供し、繊維組職の内部に無数の孔が形成され、より優れた吸収力を有する。
【００３１】
極細糸繊維の断面は、図４に示すように、複数の三角形状１１５が相互離隔して配列された形態をなすが、三角形状１１５の間に形成される気孔（間隙）によって毛細管現象が惹起され卓越した吸水性及び排水性を発揮するのみならず、三角形状１１５の繊維断面が最大の摩擦係数を有するようになり、物体の表面に付着した汚染物質を迅速に吸収及び除去することができる。
【００３２】
ここでは、クリーナー層１０８が極細糸織物層または超極細糸織物層からなるものであると説明したが、これらに限定されるわけではなく、クリーナー層１０８はその他の種々の織物層からなり得る。
【００３３】
クリーナー層１０８の表面には、記号、数字、文字、ロゴ及び図形の少なくとも一種を含む様々なデザインを印刷することができる。このとき、デザインはクリーナー層１０８の表面に昇華転写方式で印刷することができるが、これに限定されるわけではなく、その他の様々な方式で印刷することができる。この場合、クリーナー層１０８に印刷されたデザインを通じてクリーナー兼用保護パッド１００に審美感を付与することができ、携帯端末機のスキン機能としても使用することができる。各企業は、自社の宣伝文句が印刷されたクリーナー兼用保護パッド１００を販促物として使用することができ、この場合、クリーナー兼用保護パッド１００を通じて自社または自社製品を宣伝することができる。
【００３４】
一方で、クリーナー兼用保護パッド１００には貫通孔１２０を形成することができる。貫通孔１２０は、クリーナー兼用保護パッド１００を携帯端末機の背面に装着したとき、携帯端末機の背面に設けられたカメラの視野を確保するためのものである。
【００３５】
図５は、本発明の一実施形態によるクリーナー兼用保護パッドを携帯端末機に装着する状態を示す図であり、図６は、本発明の一実施形態によるクリーナー兼用保護パッドを携帯端末機に装着した状態を示す図である。
【００３６】
図５及び図６を参照すると、クリーナー兼用保護パッド１００は、携帯端末機１５０の背面に装着することができる。ユーザが最初にクリーナー兼用保護パッド１００を携帯端末機１５０の背面に装着するときは、離型層１０２をベース層１０４から剥離した後に装着することができる。クリーナー兼用保護パッド１００は、携帯端末機１５０の背面全体を覆うことができる大きさに形成することができる。この場合、クリーナー兼用保護パッド１００は、携帯端末機１５０を外部からの衝撃に対し保護する役割を果たす。また、クリーナー兼用保護パッド１００により携帯端末機１５０に傷などが付くことを防ぐことができる。
【００３７】
さらに、携帯端末機１５０のディスプレイ部１５１に異物及び埃が付着した場合、図７に示すように、ユーザは携帯端末機１５０の背面に装着したクリーナー兼用保護パッド１００を取り外し、ディスプレイ部１５１に付着した異物及び埃を拭くことができる。ここで、異物及び埃を拭き終わった後は、クリーナー兼用保護パッド１００を携帯端末機１５０の背面に再び装着することができる。この場合、クリーナー兼用保護パッド１００が携帯端末機１５０の背面に装着されているため、ユーザは別途のクリーナーを携帯しなくてもよい。
【００３８】
一方で、クリーナー兼用保護パッド１００の製造方法を詳しく説明すると、以下の通りである。
【００３９】
１）ベース層１０４、接着層１０６、及びクリーナー層１０８が順次積層されてなる積層シートを形成する。このとき、クリーナー層１０８の表面には、記号、数字、文字、ロゴ、及び図形の少なくとも一種からなる様々なデザインを印刷することができる。積層シートは、複数のクリーナー兼用保護パッドを含むように大面積に形成することができる。
【００４０】
ここで、積層シートは、ベース層１０４、接着層１０６、及びクリーナー層１０８を順次に積層した後、加圧して形成することができる。積層シートは、ベース層１０４の下部面に形成される離型層１０２をさらに含むことができる。ここでは、積層シートがベース層１０４、接着層１０６、及びクリーナー層１０８を備えるものであると説明したが、積層シートはベース層１０４及びクリーナー層１０８のみを備えてもよい。
【００４１】
２）高周波切断装置を用いて積層シートに高周波処理を施しながらカッティングを行い、複数のクリーナー兼用保護パッドに分割する。要するに、積層シートにおいて、各クリーナー兼用保護パッドをなす領域の縁部にそれぞれ高周波処理を施しながらカッティングを行い、積層シートを複数のクリーナー兼用保護パッドに分割する。
【００４２】
以下では、積層シートに高周波処理を施しながらカッティングを行うための高周波切断装置について説明をし、さらに高周波切断装置を用いて積層シートを切断する方法について詳しく説明する。
【００４３】
図８は、本発明の一実施形態による高周波切断装置の正面図であり、図９は、本発明の一実施形態による高周波切断装置の部分背面図である。
【００４４】
図８及び図９を参照すると、高周波切断装置２００は、第１のシリンダ調節部２０２、第２のシリンダ調節部２０４、昇降シリンダ２０６、支持部２０８、高周波金型部２１０、及び制御部２１２を備える。
【００４５】
第１のシリンダ調節部２０２は、制御部２１２の制御により昇降シリンダ２０６を下降させる。例えば、作業プレート２１５上の積層シート２５０を切断して複数のクリーナー兼用保護パッドに分割する場合、第１のシリンダ調節部２０２は、高周波金型部２１０が積層シート２５０を切断するように昇降シリンダ２０６を下降させる。
【００４６】
第１のシリンダ調節部２０２には、第１の空気圧ホース２２１の一端が接続される。第１の空気圧ホース２２１の他端はエアーコンプレッサー（未図示）に接続される。ここで、第１の空気圧ホース２２１は複数本形成することができる。第１のシリンダ調節部２０２及び昇降シリンダ２０６の間には第１の油圧ホース２２５が接続される。第１のシリンダ調節部２０２には、第１の油圧ゲージ２３１を形成することができる。
【００４７】
第２のシリンダ調節部２０４は、制御部２１２の制御により昇降シリンダ２０６を上昇させる。例えば、高周波金型部２１０による積層シート２５０の切断工程が完了すると、第２のシリンダ調節部２０４は昇降シリンダ２０６を上昇させて高周波金型部２１０を元の位置に戻す。
【００４８】
第２のシリンダ調節部２０４には第２の空気圧ホース２２３の一端が接続される。第２の空気圧ホース２２３の他端はエアーコンプレッサー（未図示）に接続される。第２のシリンダ調節部２０４及び昇降シリンダ２０６の間には第２の油圧ホース２２７が接続される。第２のシリンダ調節部２０４には第２の油圧ゲージ２３４を形成することができる。
【００４９】
昇降シリンダ２０６は、第１のシリンダ調節部２０２によって下降し高周波金型部２１０を下降させる。また、昇降シリンダ２０６は、第２のシリンダ調節部２０４によって上昇し高周波金型部２１０を上昇させる。
【００５０】
ここで、第１のシリンダ調節部２０２及び第２のシリンダ調節部２０４は、油圧により昇降シリンダ２０６の下降及び上昇をそれぞれ調節する。このとき、第１のシリンダ調節部２０２及び第２のシリンダ調節部２０４は空気圧により前記油圧を調節する。このように、第１のシリンダ調節部２０２及び第２のシリンダ調節部２０４により空気圧及び油圧を併用して昇降シリンダ２０６の下降及び上昇をそれぞれ調節することにより、別途のモータがなくても昇降シリンダ２０６を微細に調節することができる。これについて図１０を参照して、詳しく説明する。
【００５１】
図１０は、本発明の一実施形態による高周波切断装置における第１のシリンダ調節部、昇降シリンダ、及び第２のシリンダ調節部の関係を示す図である。
【００５２】
図１０を参照すると、第１のシリンダ調節部２０２は、内部に第１のピストン２４１を備える。第１のピストン２４１の上部には第１の空圧空間Ａ１が形成され、第１のピストン２４１の下部には第１の油圧空間Ｏ１が形成される。第１の油圧空間Ｏ１は第１の油圧ゲージ２３１と接続される。このとき、第１の油圧ゲージ２３１は、第１の油圧空間Ｏ１内のオイルの量を表示する役割を果たす。また、第１の空圧空間Ａ１には第１の空気圧ホース２２１が接続される。
【００５３】
昇降シリンダ２０６は、内部に第２のピストン２４４を備える。第２のピストン２４４の上部には第２の油圧空間Ｏ２が形成され、第２のピストン２４４の下部には第３の油圧空間Ｏ３が形成される。第１の油圧ホース２２５の一端は第１の油圧空間Ｏ１に接続され、第２の油圧ホース２２５の他端は第２の油圧空間Ｏ２に接続される。
【００５４】
第２のシリンダ調節部２０４は、内部に第３のピストン２４７を備える。第３のピストン２４７の上部には第２の空圧空間Ａ２が形成され、第３のピストン２４７の下部には第４の油圧空間Ｏ４が形成される。第４の油圧空間Ｏ４は第２の油圧ゲージ２３４と接続される。このとき、第２の油圧ゲージ２３１は、第４の油圧空間Ｏ４内のオイルの量を表示する役割を果たす。また、第２の空圧空間Ａ２には第２の空気圧ホース２２３が接続される。
【００５５】
ここで、昇降シリンダ２０６のロッドを下降させる場合を説明すると、以下の通りである。第１の空気圧ホース２２１を介して第１の空圧空間Ａ１に圧縮空気を流入させると、第１のピストン２４１が下降して第１の油圧空間Ｏ１内のオイルが第１の油圧ホース２２５に沿って第２の油圧空間Ｏ２に流入される。そのため、第２の油圧空間Ｏ２に流入されたオイルの量だけ第２のピストン２４４が下降し、昇降シリンダ２０６のロッドが下降するようになる。このとき、第３の油圧空間Ｏ３内のオイルが第２の油圧ホース２２７に沿って第４の油圧空間Ｏ４に流入される。すると、第３のピストン２４７が上昇して、第２の空圧空間Ａ２内の空気が第２の空気圧ホース２２３を介して排出される。
【００５６】
次に、昇降シリンダ２０６のロッドを上昇させる場合を説明すると、以下の通りである。第２の空気圧ホース２２３を介して第２の空圧空間Ａ２に圧縮空気を流入させると、第３のピストン２４７が下降して第４の油圧空間Ｏ４内のオイルが第２の油圧ホース２２５に沿って第３の油圧空間Ｏ３に流入される。そのため、第３の油圧空間Ｏ３に流入されたオイルの量だけ第２のピストン２４４が上昇して、昇降シリンダ２０６のロッドが上昇するようになる。このとき、第２の油圧空間Ｏ２内のオイルが第１の油圧ホース２２５に沿って第１の油圧空間Ｏ１に流入される。すると、第１のピストン２４１が上昇して第１の空圧空間Ａ１内の空気が第１の空気圧ホース２２１を介して排出される。
【００５７】
一方で、昇降シリンダ２０６のロッドを下降させるときは、昇降シリンダ２０６のロッドを上昇させるときよりさらに高い圧力が必要となるため、第１のシリンダ調節部２０２には、複数本の第１の空気圧ホース２２１を接続することができる。
【００５８】
このように、第１のシリンダ調節部２０２及び第２のシリンダ調節部２０４により空気圧及び油圧を併用して昇降シリンダ２０６の下降及び上昇をそれぞれ調節することにより、別途のモータがなくても昇降シリンダ２０６を微細に調節することができる。すなわち、昇降シリンダ２０６の下降及び上昇を油圧によって調節するため、昇降シリンダ２０６に一定の圧力を伝達することができ、昇降シリンダ２０６の下降及び上昇を通じて高周波金型部２１０の下降及び上昇を微細に調節することができる。このとき、昇降シリンダ２０６内に流入されるオイルの量を空気圧によって調節するため、別途のモータを設ける必要がなく、高周波切断装置２００の全体積及び重量を小さくすることができる。
【００５９】
図８を再度参照すると、支持部２０８は、高周波金型部２１０の上部において高周波金型部２１０を支持する役割を果たす。このとき、支持部２０８は、昇降シリンダ２０６とともに下降または上昇する。
【００６０】
高周波金型部２１０は、積層シート２５０を切断して複数のクリーナーに分割する役割を果たす。図１１は、本発明の一実施形態による高周波金型部を示す図である。ここでは、高周波カッター部の下部面に形成されるカッターを示すために、高周波金型部を下から見た状態を示す。
【００６１】
図１１を参照すると、高周波金型部２１０は、高周波伝達部２５１、ヒーター２５３、熱伝導部材２５５、及び高周波カッター部２５７を備える。
【００６２】
高周波伝達部２５１は、高周波発生器（未図示）から流入される高周波をヒーター２５３及び熱伝導部材２５５を介して高周波カッター部２５７に伝達する役割を果たす。
【００６３】
ヒーター２５３は高周波カッター部２５７を予熱する役割を果たす。すなわち、高周波カッター部２５７が積層シート２５０に高周波処理を施しながらカッティングを行う前に、高周波カッター部２５７を予熱する役割を果たす。このとき、熱伝導部材２５５はヒーター２５３から発生した熱を高周波カッター部２５７に伝達する役割を果たす。
【００６４】
高周波カッター部２５７は、制御部２１２の制御により積層シート２５０に高周波処理を施しながらカッティングを行う役割を果たす。高周波カッター部２５７の下部面には少なくとも一のカッター２５９が形成される。このとき、各カッター２５９は、クリーナー兼用保護パッド１００の形状と同様の形状に形成することができる。この場合、積層シート２５０は高周波カッター部２５７により切断され、複数のクリーナー兼用保護パッド１００に分割することができる。
【００６５】
図１２は、本発明の一実施形態による高周波切断装置を用いて積層シートを複数のクリーナー兼用保護パッドに分割する方法を示すフローチャットである。
【００６６】
図１２を参照すると、作業プレート２１５上に積層シート２５０を位置付けする（Ｓ１０１）。積層シート２５０は、順次積層されるベース層１０４、接着層１０６、及びクリーナー層１０８を備えることができる。
【００６７】
次に、制御部２１２は、第１のシリンダ調節部２０２を介して昇降シリンダ２０６を下降させ、高周波金型部２１０を積層シート２５０上に位置付けした後、ヒーター２５３で高周波カッター部２５７を予熱する（Ｓ１０３）。このとき、例えば、高周波カッター部２５７を１５０〜１８０℃、所定の時間の間予熱することができる。これは高周波カッター部２５７の予熱温度が１５０℃未満であると、積層シート２５０の最上部に位置するクリーナー層１０８に高周波処理を施しながらカッティングし難くなり、高周波カッター部２５７の予熱温度が１８０℃を超過すると、クリーナー層１０８が変形し得るためである。
【００６８】
次に、制御部２１２は、高周波カッター部２５７により積層シート２５０に高周波処理を施しながら一部カッティング工程を行う（Ｓ１０５）。ここで、一部カッティング工程とは、積層シート２５０の総厚さのうち、一定の厚さまでカッティングを行う工程をいう。
【００６９】
具体的には、制御部２１２は、高周波発生器（未図示）を通じて高周波を発生させ、発生された高周波を高周波伝達部２５１に流入させて高周波カッター部２５７に伝達する。そして、昇降シリンダ２０６を所定の高さだけ下降させ、高周波カッター部２５７により積層シート２５０に高周波処理を施しながら一部カッティング工程を行う。
【００７０】
このとき、積層シート２５０に高周波処理を施しながら一部カッティングを行う工程は、積層シート２５０中のベース層１０４の一部まで行うことができる。すなわち、積層シート２５０は、ベース層１０４、接着層１０６、及びクリーナー層１０８が順次積層される構造物であるが、積層シート２５０中の最上部に形成されるクリーナー層１０８及びクリーナー層１０８の下部に形成される接着層１０６まではカッティングが全部行われ、接着層１０６の下部に形成されるベース層１０４は一部のみカッティングが行われる。すると、クリーナー層１０８及び接着層１０６は溶解しながらカッティングが行われ、クリーナー層１０８及びベース層１０４が高周波融着し接合される。
【００７１】
ここで、積層シート２５０に高周波処理を施しながら一部カッティングを行う工程は、例えば、積層シート２５０中のベース層１０４の厚さの１／３〜２／３となる地点まで行うことができる。これは、積層シート２５０に高周波処理を施しながら一部カッティングを行う工程がベース層１０４の厚さの１／３未満の地点まで行われると、クリーナー層１０８に高周波処理が確実に行われず、積層シート２５０に高周波処理を施しながら一部カッティングを行う工程がベース層１０４の厚さの２／３の地点を超過して行われると、クリーナー層１０８が焦げてしまう危険性があるためである。
【００７２】
換言すると、積層シート２５０に高周波処理を施しながら一部カッティングを行う工程は、積層シート２５０中のベース層１０４の厚さの１／３〜２／３となる地点まで行われたとき、クリーナー層１０８が焦げることなく、クリーナー層１０８及びベース層１０４が高周波融着し接合される。
【００７３】
次に、制御部２１２は、所定の時間の間、高周波カッター部２５７に流入される高周波を遮断する（Ｓ１０７）。このとき、高周波カッター部２５７に流入される高周波を遮断すると、高周波カッター部２５７が冷却されるといった効果をもたらす。
【００７４】
このように、所定の時間の間、高周波カッター部２５７に流入される高周波を遮断して高周波カッター部２５７を冷却する理由は、Ｓ１０５段階において積層シート２５０に高周波処理を施しながら一部カッティングを行って溶解したクリーナー層１０８がカッター２５９に焦げ付くことを防止するためである。また、ベース層１０４がウレタンフォーム層からなる場合、高周波カッター部２５７を予熱した後、高周波処理を施しながら一部カッティング工程を行うと、ウレタンフォーム層は収縮するが、このとき高周波カッター部２５７を冷却してウレタンフォーム層を元通りに復元することができる。
【００７５】
次に、制御部２１２は高周波カッター部２５７に流入される高周波を遮断した状態で、カッター２５９のみを用いて積層シート２５０の残りを切断して積層シート２５０を複数のクリーナー兼用保護パッド１００に分割する（Ｓ１０９）。このとき、高周波融着した部分にカッティング工程が行われるため、高周波融着が行われた部分とカッティング工程が行われた部分とを正確に一致させて作業を仕上げることができる。
【００７６】
積層シート２５０がベース層１０４の下部に離型層１０２を含む場合、制御部２１２は離型層１０２が全部切断されないように高周波カッター部２５７に加わる圧力を調節する。
【００７７】
本発明の実施形態によると、積層シート２５０に高周波処理を施しながら一部カッティング工程を行い、高周波を遮断して高周波カッター部２５７を冷却した後、高周波を遮断した状態で、カッター２５９のみを用いて積層シート２５０の残りを切断するため、クリーナー層１０８が焦げることを防止するとともに、クリーナー層１０８及びベース層１０４を高周波融着させクリーナー層１０８がほつれることも防止することができる。また、高周波融着した部分にカッティング工程が行われるため、製品の不良率を低減することができる。
【００７８】
以上、代表的な実施形態を通じて本発明について詳細に説明したが、本発明が属する技術分野において通常の知識を有する者は、詳述した実施形態について本発明の範疇から外れない範囲内で様々な変形が可能であることを理解しなければならない。従って、本発明の権利範囲は説明された実施形態に限定して定めてはならず、後述する特許請求の範囲のみならず、この特許請求の範囲と均等なものなどによって定められなければならない。
【符号の説明】
【００７９】
１００：  クリーナー兼用保護パッド
１０２：  離型層
１０４：  ベース層
１０６：  接着層
１０８：  クリーナー層
１５０：  携帯端末機
２００：  高周波切断装置
２０２：  第１のシリンダ調節部
２０４：  第２のシリンダ調節部
２０６：  昇降シリンダ
２０８：  支持部
２１０：  高周波金型部
２１２：  制御部
２１５：  作業プレート
２２１：  第１の空気圧ホース
２２３：  第２の空気圧ホース
２２５：  第１の油圧ホース
２２７：  第２の油圧ホース
２３１：  第１の油圧ゲージ
２３４：  第２の油圧ゲージ
２４１：  第１のピストン
２４４：  第２のピストン
２４７：  第３のピストン
２５０：  積層シート
２５１：  高周波伝達部
２５３：  ヒーター
２５５：  熱伝導部材
２５７：  高周波カッター部
２５９：  カッター
【図１】
0005465275.tif 000002
【図２】
0005465275.tif 000003
【図３】
0005465275.tif 000004
【図４】
0005465275.tif 000005
【図５】
0005465275.tif 000006
【図６】
0005465275.tif 000007
【図７】
0005465275.tif 000008
【図８】
0005465275.tif 000009
【図９】
0005465275.tif 000010
【図１０】
0005465275.tif 000011
【図１１】
0005465275.tif 000012
【図１２】
0005465275.tif 000013